(57)【要約】    【課題】  採血に用いられる採血台であって、採血管から被採血者側への血液の逆流を確実に防止することができる採血用台を提供する。    【解決手段】  上面２ａに被採血者の腕が載置される凹部２ｂを有する台本体２と、凹部２ｂの上方を跨がるように台本体２に取り付けられている駆血帯４とを備え、台本体２の上面２ａよりも採血管１３，１４の上端が下方に位置されるように台本体２に採血管装架部を構成するために穴２ｅ〜２ｇが設けられている、採血用台１。【選択図】      図１
2006068224.tif 000002
【特許請求の範囲】
【請求項１】
採血に際して用いられる採血用台であって、
上面に被採血者の腕が載置される凹部を有する台本体と、
前記凹部の上方を跨がるように台本体に取り付けられている駆血帯とを備え、
採血管装架部に装架された採血管の上端が台本体の上面より下方に位置するように採血管装架部が台本体に設けられていることを特徴とする、採血用台。
【請求項２】
前記採血管装架部が、台本体の中間高さ位置に設けられた段差部に設けられており、該段差部に開口しており、該開口部から下方に延びるように穴が形成されている、請求項１に記載の採血用台。
【請求項３】
採血針に接続されたチューブをガイドするガイドが前記凹部の上方に配置されており、該ガイドの上面に、前記チューブの外径に応じた幅を有するガイド溝が形成されており、該ガイド溝に上記チューブが固定されていることを特徴とする、請求項１または２に記載の採血用台。
【請求項４】
前記ガイドが、前記凹部の延びる方向と交差する方向に延ばされたロッドにガイドのガイド溝の傾斜角度を変化させ得るように取り付けられており、前記ロッドが、本体の上面に立設された第１，第２の支持部材により支持されている、請求項３に記載の採血用台。
【請求項５】
前記台本体の上面に貫通孔が形成されており、前記駆血帯が、該駆血帯の一端側において前記台の上面から内部に引き込まれ得るように前記貫通孔に挿入されており、かつ前記貫通孔の下方に、駆血帯を引き込み、あるいは貫通孔から外側に送り出すことを可能とする駆動装置が設けられており、該駆動装置が前記駆血帯に連結されている、請求項１〜４のいずれか１項に記載の採血用台。
【発明の詳細な説明】
【技術分野】
【０００１】
本発明は、採血時に用いられる採血用台に関し、より詳細には、採血に際しての血液の被採血者の血管側への逆流を防止することを可能とする構造を有する採血用台に関する。
【背景技術】
【０００２】
従来、真空採血法などの血液採取方法において、様々な採血針や採血ホルダーが用いられている。ところで、採血に際しては、まず、駆血帯を被採血者の腕に取り付ける。次に、採血用中空針の針先を血管内に挿入する。採血用中空針は、真空採血管の栓体を刺通する連通用中空針に連ねられている。採血用中空針と連通用中空針とを接続する構造としては、内部流路を有するハブなどの様々な構造が提案されている。
【０００３】
真空採血に際しては、上記のように採血用中空針の針先を血管に挿入した後に、連通用中空針の針先により真空採血管の栓体を刺通する。それによって、採血用中空針と真空採血管内とが連通され、真空採血管内が減圧されているため、血液が血管から真空採血管に導かれる。
【０００４】
真空採血管内の圧力と血管の圧力がほぼ等しくなった時点で採血が終了する。採血終了後には、連通用中空針を真空採血管から引き抜き、駆血帯を取り外す。しかしながら、誤って、先に駆血帯が取り外されると、血管内の圧力が急激に低くなるため、採血管内の血液が血管側に向かって逆流するおそれがある。また、採血管の配置されている位置が血管よりも高い場合には、位置エネルギーによっても逆流の生じるおそれがある。他方、真空採血管内には、抗凝固剤や薬剤などが収納されていることが多い。従って、逆流が生じると、薬剤や抗凝固剤が血管側に移行し、悪影響を及ぼすおそれがある。そこで、従来より逆流を防止するための様々な構造が提案されている。
【０００５】
例えば、下記の特許文献１には、血流によって移動可能なプラグが内蔵されている採血針が開示されている。ここでは、逆流が生じた場合、逆流によりプラグが移動し、流路が閉塞されるように構成されている。すなわち、上記プラグは、血流の方向の変動により、流路を遮断するように構成されている。しかしながら、血液の流れ方向が逆転することにより流路を遮断するものであるため、上記プラグによる流路を遮断する力は一定ではなく、静脈圧と採血管内の圧力との差圧に依存しており、安定性がないという問題があった。すなわち、場合によっては流路を確実に遮断することができないことがあった。
【０００６】
加えて、上記プラグは、血流が逆転し、しかる後プラグが移動して流路が遮断されるため、速やかに逆流を防止することはできなかった。すなわち、流路が遮断される前に、血液が誤って採血管内から静脈側に移動するおそれがあった。他方、下記の特許文献２には、逆流が生じた場合には、血液の流れにより流路を閉じるように移動されるフラップ状逆止め弁が備えられた採血針が開示されている。しかしながら、この構造においても、同様に血液の逆方向の流れにともなう圧力を利用して逆流を防止しているため、静脈圧と採血管内の圧力との差圧が小さい場合には、逆流を防止することができないことがあった。また、特許文献１に記載のプラグの場合と同様に、逆流を防止するために若干の時間を必要とするため、確実に採血管内の血液の血管側への移動を防止することが困難であった。
【特許文献１】特開昭５７−１１６６１号公報
【特許文献２】特開昭５４−４１９１号公報
【発明の開示】
【発明が解決しようとする課題】
【０００７】
本発明は、上述した従来技術の欠点を解消し、採血終了時に何らかの理由により採血管内の圧力が静脈側圧力よりも高くなり、逆流が生じようとした場合であっても、採血管内の血液の静脈側への移動を確実にかつ速やかに防止することを可能とする採血用台を提供することにある。
【課題を解決するための手段】
【０００８】
本発明は、採血に際して用いられる採血用台であって、上面に被採血者の腕が載置される凹部を有する台本体と、前記凹部の上方を跨がるように台本体に取り付けられている駆血帯とを備え、採血管装架部に装架された採血管の上端が台本体の上面より下方に位置するように採血管装架部が台本体に設けられていることを特徴とする。
【０００９】
本発明に係る採血用台のある特定の局面では、前記採血管装架部が、台本体の中間高さ位置に設けられた段差部に設けられて該段差部に開口しており、該開口部から下方に延びるように穴が形成されている。
【００１０】
本発明に係る採血用台の他の特定の局面では、採血針に接続されたチューブをガイドするガイドが前記凹部の上方に配置されており、該ガイドの上面に、前記チューブの外径に応じた幅を有するガイド溝が形成されており、該ガイド溝に上記チューブが固定されていることを特徴とする。
【００１１】
本発明に係る採血用台のさらに別の特定の局面では、前記ガイドが、前記凹部の延びる方向と交差する方向に延ばされたロッドにガイドのガイド溝の傾斜角度を変化させ得るように取り付けられており、前記ロッドが、本体の上面に立設された第１，第２の支持部材により支持されている。
【００１２】
本発明に係る採血用台のさらに他の特定の局面では、前記台本体の上面に貫通孔が形成されており、前記駆血帯が、該駆血帯の一端側において前記台の上面から内部に引き込まれ得るように前記貫通孔に挿入されており、かつ前記貫通孔の下方に、駆血帯を引き込み、あるいは貫通孔から外側に送り出すことを可能とする駆動装置が設けられており、該駆動装置が前記駆血帯に連結されている。
【発明の効果】
【００１３】
本発明に係る採血用台では、台本体の上面に被採血者の腕が載置される凹部が設けられており、該凹部の上方を跨がるように台本体に駆血帯が取り付けられている。採血に際しては、この凹部に被採血者の腕が載置される。他方、台本体には、採血管の上端が台本体の上面よりも下方に位置するように採血管装架部が設けられている。従って、採血に際し、採血針が刺通される被採血者の血管よりも、採血針に連結された採血管の上端の方が下方に位置することとなる。よって、採血針よりも採血管が下方に位置するため、位置エネルギーによる逆流の発生を確実に防止することができる。
【００１４】
加えて、採血管装架部においては、採血管が装架されているため、言い換えれば採血管が立てられた状態で配置されているため、採血管内に採取された血液の上方に、該採血管内に挿入される中空針の下端が位置するように操作することにより、採取された血液の上方に空間を設けることができる。従って、上記空間、すなわちヘッドスペースが配置されていることによっても、血液の中空針側への逆流が生じ難い。
【００１５】
また、採血管装架部が台本体の中間高さ位置に設けられた段差部に設けられており、該段差部に開口しており、該開口部から下方に延びる穴が形成されている場合には、該穴に採血管を挿入するだけで採血管を容易に装架することができ、かつ採血管の上端を、確実に台本体の上面よりも下方に位置させることができる。
【００１６】
採血針が接続されたチューブをガイドするガイドが凹部の上方に配置されており、ガイドの上面にチューブの外径に応じた幅を有するガイド溝が形成されており、該ガイド溝に上記チューブが固定されている場合には、ガイド溝にチューブが固定されている部分よりも採血管装架部側に延ばされているチューブ部分に外力が加わったとしても、外力がガイドよりも採血針側のチューブ部分に伝達し難い。従って、採血針が血管から外れ難い。
【００１７】
ガイドが、凹部の延びる方向と交差する方向に延ばされたロッドに、ガイドのガイド溝の傾斜角度を変化させるように取り付けられている場合には、チューブの向きを、患者の腕の大きさ等に応じて容易に変化させることができ、採血を容易に行うことができる。
【００１８】
台本体の上面に貫通孔が形成されており、駆血帯が、該貫通孔から内部に引き込まれるように挿入されており、かつ貫通孔の下方に駆動装置が設けられている場合には、該駆動装置により駆血帯を引き込んだり、あるいは貫通孔から外側に送り出すことが可能となる。従って、凹部に被採血者の腕を載置した状態で駆動装置を駆動し、駆血帯を引き込むことにより、駆血帯により腕を容易に圧迫し、血管を膨張することができる。また、採血終了後には、駆動装置により、駆血帯を貫通孔から外側に送り出すように移動させることにより、被採血者の腕を凹部から容易に抜き出すことができる。
【発明を実施するための最良の形態】
【００１９】
以下、図面を参照しつつ、本発明の具体的な実施形態を説明することにより、本発明を明らかにする。
【００２０】
図１は、本発明の一実施形態に係る採血用台の外観を示す斜視図であり、図２はその使用状態の一例を示す斜視図である。
【００２１】
図１に示すように、採血用台１は、台本体２を有する。台本体２は、上面２ａに凹部２ｂを有する。台本体２の上面２ａは、図示のように一端側において斜め上方に延ばされている。凹部２ｂは、略半円筒曲面を有するように構成されており、凹部２ｂに被採血者の腕が載置されるように構成されている。ここでは、凹部２ｂの表面には、柔軟に優れた表皮層３が固定されている。この表皮層３は、凹部２ｂの内面に沿うように凹部２ｂに貼り付けられており、被採血者の腕に柔らかな触感を与えるために設けられている。上記表皮層３は、例えば発泡材料を合成皮革や合成樹脂皮膜により被覆した構造などにより構成され得る。あるいは、表皮層３は、柔軟性を有するゴムなどにより構成されていてもよい。
【００２２】
他方、台本体２の上面２ａにおいて、斜め上方に傾斜されている部分において、貫通孔２ｃが形成されている。貫通孔２ｃは、駆血帯４を台本体２の貫通孔２ｃから内部に引き込むために設けられている。駆血帯４は、凹部２ｂの上方において凹部２ｂを跨がるように台本体２に取り付けられている。より具体的には、駆血帯４の一端４ａが台本体２の上面２ａに固定されている。駆血帯４の他端は、貫通孔２ｃを通り、台本体２内に延ばされている。駆血帯４は、患者の腕を圧迫し、血管を膨張させるために設けられている。
【００２３】
図３に略図的断面図で示すように、台本体２の貫通孔２ｃから内部に駆血帯４の端部４ｂが引き込まれている。端部４ｂ付近において、駆血帯４には、ピン６により連結部材５が固定されている。連結部材５の下端には、ラック７が固定されている。ラック７には、ピニオン８が噛み合わされている。ピニオン８は、図示しないモーターなどの回転駆動源などに連結されており、図示の矢印で示す反時計方向と、反対側の時計方向に回転され得るように構成されている。
【００２４】
従って、ピニオン８を反時計方向に回転させた場合には、駆血帯４を貫通孔２ｃから台
本体２内に引き込み、腕Ａに駆血帯４を強く圧迫させることができる。他方、ピニオン８を時計方向に回転させた場合には、駆血帯４が貫通孔２ｃから外部に送り出される。従って、駆血帯４を腕Ａから分離し、腕Ａを台本体２の凹部２ｂから容易に取り出すことができる。
【００２５】
上記駆血帯４は、例えば、合成樹脂やゴムなどの適宜の材料で構成され得る。
【００２６】
図１に戻り、凹部２ｂの上方には、ガイド９が配置されている。ガイド９は、矩形板状の部材により構成されている。ガイド９の上面には、ガイド溝９ａが形成されている。ガイド溝９ａは、採血針２２に接続されるチューブ２３の外径に応じた幅を有する。上記ガイド溝９ａには、採血針２２に接続されているチューブ２３が固定されている。この固定により、チューブ２３のガイド９よりも後方部分、すなわち後述の採血管１４側に延びる部分に力が加わったとしても、該力がガイド９よりも先端側のチューブ及び採血針２２に加わり難い。従って、採血中に血管から採血針２２が抜け難い。
【００２７】
ガイド９は、凹部２ｂの延びる方向と交差する方向に延ばされたロッド１０に回転可能に取り付けられている。従って、ガイド９をロッド１０の周りに回転させることにより、ガイド溝９ａの傾斜角度を変化させることができる。
【００２８】
他方、ロッド１０は、両端において第１，第２の支持部材１１，１２に支持されている。第１，第２の支持部材１１，１２は、凹部２ｂの側方において、台本体２の上面２ａ上に立設されている。
【００２９】
他方、台本体２には、中間高さ位置に段差部２ｄが設けられている。段差部２ｄに、開口している穴２ｅ〜２ｇが設けられている。穴２ｅ〜２ｇは、段差部２ｄから下方に延びており、これらの穴２ｅ〜２ｇが採血管装架部を構成している。穴２ｅ，２ｆには、採血管１３，１４が装架されている状態が図示されている。
【００３０】
なお、図２では、採血中であるため、穴２ｆに挿入されている採血管１４の上端には、採血ホルダー２４が取り付けられている状態が図示されている。
【００３１】
穴２ｇにも、採血管が挿入され、装架される。この場合、採血管１３，１４の上端は、台本体２の上面２ａよりも下方に位置するように、上記穴２ｅ〜２ｇが形成されている。
【００３２】
なお、採血用台１では、台本体２の側面に押しボタンスイッチ１５が設けられている。押しボタンスイッチ１５は、該押しボタンスイッチ１５を押圧することにより、前述した駆血帯４を移動させるための回転駆動源をオン状態とし、図３に示したように、ピニオン８を反時計方向に回転させ、駆血帯４の端部４ｂを貫通孔２ｃから内側へ引き込むように移動させる。
【００３３】
なお、上記ピニオン８の回転は、駆血帯４により被採血者の腕が圧迫され、血管が膨張した状態で停止する。この停止は、駆血帯４の移動を検出するセンサーを台本体２に配置し、該センサーにより駆血帯４の移動量が血管を膨張させるのに十分となった際に信号出力し、該信号に基づいて上記ピニオンを駆動する回転駆動源を停止するように構成すればよい。
【００３４】
上記センサーとしては、光学式センサーなどの非接触式センサー、あるいは機械的接触式のセンサーを用いることができる。
【００３５】
また、図４は、穴２ｆの内部を説明するための略図的断面図である。穴２ｆには、図４
に示すように、採血管１４が挿入され、装架されている。ここでは、採血に際し、採血針２２に接続チューブ２３により接続された採血ホルダー２４の中空針２４ａが採血管１４の栓体１４ａに刺通されている。穴２ｆにおいては、内周面に複数のセンサー１８ａ〜１８ｅが固定されている。センサー１８ａ〜１８ｅは、本実施形態では、光学式センサーにより構成されており、センサー１８ａ〜１８ｅが設けられている高さ位置においては、センサー１８ａ〜１８ｅと対向するように光源１９ａ〜１９ｅが配置されている。そして、光源１９ａ〜１９ｅからセンサー１８ａ〜１８ｅに向かって照射された光が、センサー１８ａ〜１８ｅによりそれぞれ受光されるように構成されている。
【００３６】
このセンサー１８ａ〜１８ｅにより、採血管１４内に採取された血液Ｂの量を検出することができる。すなわち、血液Ｂが採血管１４内に採取されていくと、血液の液面がセンサー１８ａ〜１８ｅよりも上方に位置した場合、センサー１８ａ〜１８ｅで受光される光の量が変化するため、この光の量の変化により、血液Ｂの液面を検出することができる。そして、所望とする高さ位置まで血液Ｂが採取された段階で、台本体２内に設けられた制御装置により採血終了を示す信号が台本体２の側面に設けられた表示ランプ１７に与えられる。そして、表示ランプ１７が点灯することにより、十分な量の血液が採取されたことを採血従事者が把握することが可能とされている。
【００３７】
さらに、図４に示すように、近接スイッチ等からなるセンサー１８ｆが穴２ｆの周囲に配置されている。図５に示すように、このセンサー１８ｆは、採血ホルダー２４が存在していることを検出し得るように構成されている。ホルダー２４が存在していることを示す信号がセンサー１８ｆから、図示しない制御装置に与えられた際には、前述した駆血帯４による被採血者の腕を圧迫している状態を解除することができないように構成されている。他方、制御装置は、上記センサー１８ｆから、採血ホルダー２４が存在していないことを示す信号が与えられた場合には、上記駆血帯４による被採血者の腕を圧迫した状態を解除することを可能とするように構成されている。従って、採血ホルダー２４が存在しないことを示す信号がセンサー１８ｆから制御装置に与えられた場合には、制御装置は前述したように駆血帯４を駆動し、駆血帯４による被採血者の腕を圧迫した状態を解除することができる。
【００３８】
次に、実際の採血台１を用いた採血方法を説明する。
【００３９】
まず、駆血帯４を緩め、すなわち駆血帯４の端部４ｂを貫通孔２ｃ側に移動させ、その状態で図２に示すように、凹部２ｂの表皮部３の上に被採血者の腕Ａを載置する。そして、次に、押しボタンスイッチ１５を押圧し、駆血帯４の端部４ｂを貫通孔２ｃから内部に引き込み、被採血者の腕Ａを駆血帯４により圧迫する。そして、血管が十分に膨張された段階で、上記ピニオン８の回転が停止される。この状態で、被採血者の腕に採血針２２を刺通する。その結果、採血針２２に接続されたチューブ２３を介して、図２に示すように、採血管１４に血液が採取されることになる。また、血液採取中に、チューブ２３のガイド９よりも採血管側に外力が加わったとしても、被採血者の腕に刺通されている採血針２２が動き難い。従って、安全にかつ安定に採血を続行することができる。そして、図４に示したように、十分な量の血液が採取された際に、表示ランプ１７が点灯し、採血を終了してよいことがわかる。よって、採血従事者は、表示ランプ１７が点灯すると、同時に、上記センサー１８ｆからの信号により駆血帯を緩める動作を行うことが可能となるので、採血針２２を被採血者の腕Ａから引き抜き、次に駆血帯４を緩め、採血を終了すればよい。
【００４０】
この場合、何らかの理由により、採血針２２側に血液が逆流しようとしても、採血針２２は、採血管１４の上端よりも上方に位置している。従って、位置エネルギーによる逆流は確実に抑制される。また、他の理由により逆流が生じようとしても、採血針２２が、採
血管１４よりも上方に位置しているため、並びに中空針２４ａの下端と、血液との間にヘッドスペースがあるため、逆流が生じ難い。
【００４１】
よって、本実施形態の採血用台１を用いることにより、採血に際しての血液の被採血者側への逆流を確実に防止することができる。しかも、上記採血用台１の凹部２ｂに被採血者の腕を載置し、上記のように押しボタンスイッチ１５を押すだけで、駆血帯４をセットでき、採血針を被採血者の血管に容易にかつ正確に刺通させることができる。従って、採血を容易に行うことができるとともに、採血に際しての採血従事者の負担も大幅に低減される。
【図面の簡単な説明】
【００４２】
【図１】本発明の一実施形態に係る採血用台を示す斜視図。
【図２】図１に示した採血用台を用いた採血方法を説明するための斜視図。
【図３】図１に示した採血用台の部分切欠断面図。
【図４】図１に示した採血用台における採血管装架部の構造を説明するための正面断面図。
【図５】本発明の一実施形態に係る採血用台の略図的側面図。
【符号の説明】
【００４３】
１…採血用台
２…台本体
２ａ…上面
２ｂ…凹部
２ｃ…貫通孔
２ｄ…段差部
２ｅ〜２ｇ…穴
３…表皮層
４…駆血帯
５…連結部材
６…ピン
７…ラック
８…ピニオン
９…ガイド
９ａ…ガイド溝
１０…ロッド
１１，１２…支持部材
１３，１４…採血管
１５…押しボタンスイッチ
１７…表示ランプ
１８ａ〜１８ｅ…センサー
１９ａ〜１９ｅ…光源
２１…中空針
２２…採血針
２３…チューブ
２４…採血ホルダー
【図１】
2006068224.tif 000003
【図２】
2006068224.tif 000004
【図４】
2006068224.tif 000005
【図３】
2006068224.tif 000006
【図５】
2006068224.tif 000007